(57)【要約】【課題】  本願発明は、あご状部を有するパラペットのあご状部の側壁表面下端部に貼着して前記あご状部下面への雨水の回り込みを抑止する水切りテープと、同水切りテープを用いた施工容易なあご状部を有するパラペットの防水処理方法を提供する。【解決方法】  長尺のテープ本体と、前記テープ本体の裏面に該テープ本体の幅方向の下端から一定幅の部分を除いて塗布された接着剤層と、前記接着剤層を被覆し前記接着剤層を貼着時まで保護する剥離紙とからなり、前記テープ本体の幅方向の上辺部には上端に向かってその厚みを漸減させてなるテーパー部が形成され、下辺部には水切り効果を高めるため該テープ本体の表面側に湾曲した湾曲部が形成された水切りテープと、この水切りテープを、その下辺部が前記パラペットのあご状部の側壁表面の下方に一定幅はみ出させて垂下して貼着し、その後パラペット全体にウレタン塗膜を塗布する防水処理方法による。【選択図】  図２
2010127023.tif 000002
【特許請求の範囲】
【請求項１】
上端にあご状部５ａを有するパラペット５の防水処理方法であって、
前記パラペット５のあご状部５ａの側壁表面に、下記の水切りテープ１、すなわち、長尺
のテープ本体２の裏面に接着剤層３が該テープ本体２の幅方向の下端から一定幅Ｗ2の部
分を除く範囲に備えられ、かつ、前記テープ本体２の幅方向の上辺部には上端に向かって
その厚みを漸減させてなるテーパー部２ａが形成され、下辺部には水切り効果を高めるた
め該テープ本体２の表面側に湾曲した湾曲部２ｂが形成されてなる水切りテープ１の下辺
部を、前記パラペット５のあご状部５ａ側壁表面の下方に一定幅Ｗ2はみ出させて垂下し
て貼着し、その後前記パラペット表面全体にウレタン塗膜６を塗布することにより、前記
あご状部５ａの側壁表面を流下する雨水を前記水切りテープ１の下端の湾曲部２ｂから外
方へ滴下させ、前記パラペット５のあご状部５ａ下面への雨水の回り込みを抑止可能にし
てなることを特徴とするあご状部を有するパラペットの防水処理方法。
【請求項２】
前記パラペット５のあご状部５ａの側壁表面から下方にはみ出す前記水切りテープ１の
はみ出し幅Ｗ2が３０ｍｍ〜５０ｍｍであることを特徴とする請求項１に記載のあご状部
を有するパラペットの防水処理方法。
【請求項３】
上端にあご状部５ａを有するパラペット５のあご状部５ａの側壁表面に垂下して貼着さ
れ、前記あご状部５ａ下面への雨水の回り込みを防止する水切りテープ１であって、
長尺のテープ本体２と、前記テープ本体２の裏面に該テープ本体２の幅方向の下端から一
定幅Ｗ2の部分を除いて塗布され、前記テープ本体２をパラペット５のあご状部５ａの側
壁表面に貼着するための接着剤層３と、前記接着剤層３を被覆し、前記テープ本体２がパ
ラペット５のあご状部５ａの側壁表面に貼着されるまでは前記接着剤層３を保護し、貼着
時に剥離して接着剤層３を露出させる剥離紙４とからなり、
前記テープ本体２の幅方向の上辺部は上端に向かってその厚みを漸減させてなるテーパー
部２ａとされ、下辺部は水切り効果を高めるため該テープ本体２の表面側に湾曲した湾曲
部２ｂとされてなることを特徴とする水切りテープ。
【請求項４】
前記接着剤層３が、前記テープ本体２の幅方向の下端から幅Ｗ2＝３０ｍｍ〜５０ｍｍ
の部分を除く裏面に塗布されてなることを特徴とする請求項３に記載の水切りテープ。
【請求項５】
前記テープ本体２が、幅Ｗ1＝６０ｍｍ〜１２０ｍｍのウレタンゴムで形成されてなる
ことを特徴とする請求項３又は４に記載の水切りテープ。
【発明の詳細な説明】
【技術分野】
【０００１】
本願発明は、上部にあご状部を有するパラペットのあご状部下面への薄いの回り込みを
防止する水切りテープと、同水切りテープを使用したあご状部を有するパラペットの防水
処理方法に関する。
【背景技術】
【０００２】
従来、パラペットのあご状部の下面に回り込む雨水を抑止してパラペットの立ち上がり
面の防水性を高めるため、前記あご状部の下面に水切り溝を設け、該水切り溝の縁部から
雨水を滴下させる防水処理方法が広く用いられてきている。しかし、この方法では、コン
クリートを流し込んでパラペットを構築する型枠にあらかじめ水切り溝が形成できるよう
に工作しておく必要があるが、この水切り溝のような細かな部分の型枠を現場で作製する
には、熟練した型枠職人の手間をかけての作業が欠かせず、作業工数が増え、また手間暇
かけて製作した型枠も、取り外された後は再利用されず廃棄される場合が多いため、経費
がふくらむという問題があった。
【０００３】
上記問題を解決するため、特開平６−１０４５４号公報には「セメントまたはコンクリ
ート成形体であって、上部立ち上がり面部、傘部及び下部立ち上がり面部を一体に形成し
てなるか、上部立ち上がり面部及び傘部を一体形成してなるか、または傘部及び下部立ち
上がり面部を一体形成してなる埋め込み用あご状型枠材」の発明が開示されている。
この埋め込み用あご状型枠材は、傘部下面にシート保護溝（上記水切り溝に相当）を設
けた複雑な形状であるが、あらかじめ工場において製造されるため、現場において所望の
型枠を形成するのに比べて安価で精密な型枠が作れること、長尺のものについては押出形
成で同一形状のものを生産性高く、安価に製造できること、型枠組み立て作業が熟練した
型枠職人でなくとも容易にできること、また、この型枠が埋め込み型式であるため型枠の
取り外し作業が省略でき、廃材とならないことなどの優れた効果が示されているが、工場
においてこの埋め込み用あご状型枠材を製造するためには、複雑な形状の型枠を作らなけ
ればならず、熟練した型枠職人が必要となることに変わりはない。
また、工場で製作した埋め込み用あご状型枠材を作業現場まで運送することが必要とな
り、長尺のものになれば運送に経費が嵩むことになる。
【特許文献１】特開平６−１０４５４号公報
【０００４】
また、特開２００７−２３１６５９号公報には、「パラペットの張り出し部の下顎部に
水切り金物を配置し、防水層を保護する外装板の上端部を前記水切り金物で保持して成る
パラペットの防水構造であって、前記水切り金物は、パラペットの側面に当接する立ち上
がり部と、同立ち上がり部から外方に下り傾斜の傾斜部と、傾斜部から垂れ下がり前記外
装板の上端部を保持する断面が下向きのコの形の受け板部とから成り、前記立ち上がり部
がパラぺットの側面にビス等の締結具により固定されていること、前記水切り金物の受け
板部に、スラブ上に立てた外装板の上端部が嵌め込まれ保持されていること、前記パラペ
ットの張り出し部と水切り金物との間の目地部をツール材で防水処理されていることを特
徴とする、パラペットの防水構造」が開示されている。
このパラペットの防水構造では、パラペットの張り出し部（あご状部）の下面に水切り
溝を設ける必要がなく、パラペット構築のための型枠に複雑な構造は求められず、型枠工
事、コンクリート打設工事に要する経費を削減できる利点はあるが、前記水切り金物をパ
ラペットの側面に取り付け、パラペットの張り出し部と水切り金物との間の目地部をシ−
ル材で防水するために必要な資材及び作業工数増による経費増は免れない。
【特許文献２】特開２００７−２３１６５９号公報
【発明の開示】
【発明が解決しようとする課題】
【０００５】
本願発明は、上記背景技術が有する問題に鑑み、上部にあご状部を有するパラペットの
防水処理をより簡便な方法によって安価に実現するため、前記パラペットのあご状部の側
壁表面下端部に貼着してパラペットのあご状部下面への雨水の回り込みを抑止する水切り
テープと、同水切りテープを用いた施工が容易なあご状部を有するパラペットの防水処理
方法を提供するものである。
【課題を解決するための手段】
【０００６】
本発明者は、上記課題を下記の手段で解決した。
（１）上端にあご状部を有するパラペットの防水処理方法であって、
前記パラペットのあご状部の側壁表面に、下記の水切りテープ、すなわち、長尺のテープ
本体の裏面に接着剤層が該テープ本体の幅方向の下端から一定幅の部分を除く範囲に備え
られ、かつ、前記テープ本体の幅方向の上辺部には上端に向かってその厚みを漸減させて
なるテーパー部が形成され、下辺部には水切り効果を高めるため該テープ本体の表面側に
湾曲した湾曲部が形成されてなる水切りテープの下辺部を、前記パラペットのあご状部側
壁表面の下方に一定幅はみ出させて垂下して貼着し、その後前記パラペット表面全体にウ
レタン塗膜を塗布することにより、前記あご状部の側壁表面を流下する雨水を前記水切り
テープの下端の湾曲部から外方へ滴下させ、前記パラペットのあご状部下面への雨水の回
り込みを抑止可能にしてなることを特徴とするあご状部を有するパラペットの防水処理方
法。
（２）前記パラペットのあご状部の側壁表面から下方にはみ出す前記水切りテープのは
み出し幅が３０ｍｍ〜５０ｍｍであることを特徴とする前項（１）に記載のあご状部を有
するパラペットの防水処理方法。
【０００７】
（３）上端にあご状部を有するパラペットのあご状部の側壁表面に垂下して貼着され、
前記あご状部下面への雨水の回り込みを防止する水切りテープであって、
長尺のテープ本体と、前記テープ本体の裏面に該テープ本体の幅方向の下端から一定幅の
部分を除いて塗布され、前記テープ本体をパラペットのあご状部の側壁表面に貼着するた
めの接着剤層と、前記接着剤層を被覆し、前記テープ本体がパラペットのあご状部の側壁
表面に貼着されるまでは前記接着剤層を保護し、貼着時に剥離して接着剤層を露出させる
剥離紙とからなり、
前記テープ本体の幅方向の上辺部は上端に向かってその厚みを漸減させてなるテーパー部
とされ、下辺部は水切り効果を高めるため該テープ本体の表面側に湾曲した湾曲部とされ
てなることを特徴とする水切りテープ。
（４）前記接着剤層が、前記テープ本体の幅方向の下端から幅３０ｍｍ〜５０ｍｍの部
分を除く裏面に塗布されてなることを特徴とする前項（３）に記載の水切りテープ。
（５）前記テープ本体が、幅６０ｍｍ〜１２０ｍｍのウレタンゴムで形成されてなるこ
とを特徴とする前項（３）又は（４）に記載の水切りテープ。
【発明の効果】
【０００８】
本願発明の水切りテープ及び同水切りテープを用いたパラペットの防水処理方法によっ
て、下記の効果が発揮される。
〈１〉本願発明の水切りテープが、長尺のテープ本体と、前記テープ本体の裏面に該テ
ープ本体の幅方向の下端から一定幅の部分を除いて塗布され、前記テープ本体をパラペッ
トのあご状部の側壁表面に貼着するための接着剤層と、前記接着剤層を被覆し、前記テー
プ本体がパラペットのあご状部の側壁表面に貼着されるまでは前記接着剤層を保護し、貼
着時に剥離して接着剤層を露出させる剥離紙とからなるので、水切りテープのパラペット
あご状部の側壁表面への貼着が剥離紙を剥がすだけで可能となり、パラペットの防水処理
作業が短時間で、かつ容易に行え、経費節減に寄与する。
〈２〉前記水切りテープのテープ本体の幅方向の上辺部が上端に向かってその厚みを漸
減させてなるテーパー部とされているので、あご状部の側壁表面に貼着された前記水切り
テープの上辺部に段差が生ぜず、前記あご状部の天端から側壁表面に沿って流下してきた
雨水を前記水切りテープの上辺で停留させることなく水切りテープの表面に沿って滑らか
に流下させることができる。
〈３〉また、前記水切りテープのテープ本体の幅方向の下辺部が、その水切り効果を高
めるため、該テープ本体の表面側に湾曲した湾曲部とされているので、テープ本体に塗布
されるウレタン塗膜がこの部分で膜厚となり、かつ流下してきた雨水を一時停留させるこ
とによって水切りテープから滴下する水滴を大きくし、水切り効果を高めることができる
。
〈４〉前記水切りテープのテープ本体が、ウレタンゴムで形成されているので、水切り
テープを巻芯に捲回しておくことができ、長尺のものでも嵩張らず、保管や輸送が容易と
なり、さらには作業現場で当該パラペットの長さに合わせて切断して使用でき、熟練者で
なくとも、あご状部を有するパラペットの防水処理が、簡便容易に効率よく実施できる。
〈５〉前記水切りテープのテープ本体が、ウレタンゴムで形成されているので、水切り
テープを貼着した後、パラペット全体にウレタン塗膜を塗布する際に特段の前処理を施す
必要がなく、あご状部を有するパラペットの防水処理が、簡便容易に実施できる。
【０００９】
〈６〉上端にあご状部を有するパラペットの防水処理方法が、前記パラペットのあご状
部の側壁表面に、前記水切りテープを、前記水切りテープの幅方向の下端部が前記パラペ
ットのあご状部の側壁表面の下端から一定幅（好ましくは３０ｍｍ〜５０ｍｍ）はみ出さ
せて垂下して貼着し、前記あご状部の側壁表面を流下する雨水を前記水切りテープの下端
から外方に滴下させ、前記あご状部下面への回り込みを抑止するという極めて簡単な構造
によるものであるので、取り付け作業が容易で、施工時間の短縮が図れ、ひいては施工経
費の削減が図れる。
〈７〉さらに前記水切りテープのテープ本体がウレタンゴムで形成されていることを活
用すれば、前記水切りテープをウレタン塗膜が塗布された既設のあご状部を有するパラペ
ットの側壁表面に貼着して、既設のあご状部を有するパラペットの防水性を強化、改善す
ることも可能となる。
なおこの際、貼着した水切りテープの上辺周辺に再度ウレタン塗膜を塗布すればより好
ましい防水効果をもたらすことができる。
【発明を実施するための最良の形態】
【００１０】
本願発明の水切りテープ及び同水切りテープを用いたあご状部を有するパラペットの防
水処理方法の実施の形態を、実施例の図に基づいて説明する。
図１は本願発明の水切りテープの構成図、図２は本願発明の水切りテープを用いたあご
状部を有するパラペットの防水構造を示す斜視図、図３は水切りテープの貼着方法の説明
図である。
図において１は水切りテープ、２はテープ本体、２ａはテーパー部、２ｂは湾曲部、３
は接着剤層、４は剥離紙、５はパラペット、５ａはあご状部、６はウレタン塗膜、７は防
水端末シール、Ｗ1は水切りテープの幅、Ｗ2は接着剤層が塗布されていない部分の幅を示
す。
【００１１】
本願発明の水切りテープ１は、図１に示すように、長尺のテープ本体２と、前記テープ
本体２の裏面に該テープ本体２の幅方向の下端方一定幅Ｗ2の部分を除いて塗布された接
着剤層３と、前記接着剤層３を被覆し、前記水切りテープ本体２ｇパラペット５のあご状
部５ａの側壁面表面に貼着されるまでは前記接着剤層３を保護し、貼着の際に剥離可能な
剥離紙４とで構成されている。
そして、前記テープ本体２幅方向の上辺部には上端に向かってその厚みを漸減させてな
るテーパー部２ａが形成され、下辺部には水切り効果を高めるため該テープ本体２の表面
側に湾曲した湾曲部２ｂが形成されている。
なお、前記接着剤層３が塗布されていない一定幅Ｗ2の部分は、前記水切りテープ１を
パラペット５のあご状部５ａの側壁表面の下端からはみ出させて垂下させる部分であって
、その幅Ｗ2としては３０ｍｍ〜５０ｍｍとすることが好ましく、またパラペット５の防
水処理にウレタン塗膜が多用されていることから、テープ本体２をウレタンゴムで形成す
ることが好ましい。
【００１２】
本願発明のあご状部を有するパラペットの防水処理方法は、図２に示すようにパラペッ
ト５のあご状部５ａの側壁表面に、本願発明の水切りテープ１を、その幅方向の下端部が
前記パラペット５のあご状部５ａの側壁表面の下方に一定幅Ｗ2はみ出させて垂下して貼
着し、前記あご状部５ａの側壁表面を流下する雨水を前記水切りテープ１の下端の湾曲部
２ｂから外方に滴下させ、前記パラペット５のあご状部５ａ下面への雨水の回り込みを抑
止しようとするものである。
コンクリートを打設して形成したパラペット５のあご状部５ａの側壁表面への前記水切
りテープ１の貼着は、図３に示すように、巻芯に捲回された長尺の水切りテープ１を、裏
面の接着剤層３に被装された剥離紙４を先端から剥がして接着剤層３を露出しつつ、パラ
ペットのあご状部５ａの側壁表面の下端部に当接してゆけばよい。なおこの際、前記水切
りテープ１の下端が、前記パラペット５のあご状部５ａの側壁表面の下端から一定幅Ｗ2
、好ましくは３０ｍｍ〜５０ｍｍはみ出させて貼着できるよう前記あご状部５ａの側壁表
面に罫書きや墨入れなどによる目印を施しておくことが好ましい。
前記水切りテープ１をパラペット５のあご状部５ａの側壁全長に貼着し終えれば、前記
長尺の水切りテープ１を切断し、その後前記水切りテープ１を含めたパラペット５全体に
ウレタン塗膜６を塗布して、パラペット５全体に防水処理を施す。
本願発明のあご状部を有するパラペットの防水処理方法は、長尺の水切りテープ１をパ
ラペット５のあご状部５ａ側壁表面に貼着する際に、前記水切りテープ１を前記あご状部
５ａの側壁表面の下方にはみ出させる幅Ｗ2が均一に保たれるよう注意するだけでよく、
極めて簡単な手順で容易に実施できるので、施工時間の短縮、及び施工経費の削減が図れ
る。
【００１３】
これまで本願発明のあご状部を有するパラペットの防水処理方法については、新たにパ
ラペット５を構築する場合を想定して記述してきたが、既設のパラペット、特にウレタン
塗膜６が塗布されたあご状部５ａするパラペット５の補修時における防水性強化にも適用
できる。
すなわち、既設のパラペット５のあご状部５ａの側壁表面に塗布されたウレタン塗膜６
を剥離して前記水切りテープ１を貼着し、その後再度ウレタン路膜６を塗布するか、ある
いは既設のウレタン塗膜６が強固な場合には、その上に前記水切りテープ１を貼着した後
、貼着した水切りテープ１を含めパラペット全体にウレタン塗膜を重ねて塗布するかすれ
ばよく、施工が容易で施工時間も短く施工に経費がかからない既設のあご状部を有するパ
ラペットのの補修時の防水性強化方法としても高い効果が発揮される。
【図面の簡単な説明】
【００１４】
【図１】本願発明の水切りテープの構成図
【図２】本願発明の水切りテープを用いたあご状部を有するパラペットの防水構造を示す斜視図
【図３】水切りテープの貼着方法の説明図
【符号の説明】
【００１５】
１：水切りテープ
２：テープ本体
２ａ：テーパー部
２ｂ：湾曲部
３：接着剤層
４：剥離紙
５：パラペット
５ａ：あご状部
６：ウレタン塗膜
７：防水端末シール
Ｗ1：水切りテープの幅
Ｗ2：接着剤層が塗布されていない部分の幅
【図１】
2010127023.tif 000003
【図２】
2010127023.tif 000004
【図３】
2010127023.tif 000005